(57)【要約】【課題】従来の蛇籠の変形防止方法は、主に外枠フレームの補強であり正面や背面の変形は防止できず又、組立式でないため移動性が悪かった。【解決手段】  本発明は上記の課題を解決するために、石材等の重量物を入れる組立式蛇籠であって、前記組立式蛇籠は、横棒と縦棒を格子状に接合した方形の格子型金網からなる、正面金網、背面金網、左側面金網、右側面金網、底面金網の外辺部同士を着脱可能な係止手段を用いて連結した五面体であり、対面する前記正面金網と背面金網、及び、前記左側面金網と右側面金網は対向して内側に引き合うように、両端に着脱可能な係止部を有した支持具で連結され、前記底面金網は、４本足で端部に着脱可能な係止部を有した山形の吊具で係止された組立式蛇籠を提供する。【選択図】図１
2010265625.tif 000002
【特許請求の範囲】
【請求項１】
石材等の重量物を入れる組立式蛇籠であって、前記組立式蛇籠は、横棒と縦棒を格子状に接合した方形の格子型金網からなる、正面金網、背面金網、左側面金網、右側面金網、底面金網の外辺部同士を着脱可能な係止手段を用いて連結した上面が開放された立方体であり、対面する前記正面金網と背面金網及び前記左側面金網と右側面金網は、対向して内側に引き合うように両端に着脱可能な係止部を有した支持具で連結され、前記底面金網の縦棒は、４本足で端部に着脱可能な係止部を有した山形の吊具で係止されたことを特徴とした組立式蛇籠。
【請求項２】
前記正面金網と前記背面金網の縦方向に配された複数本の縦棒の下端部は、波型に形成されて前記底面金網の正面側外辺部と背面側外辺部の横棒に着脱可能に係止され、前記左側面金網と前記右側面金網の縦方向に配された複数本の縦棒の下端部は、Ｕ字型に形成されて前記底面金網の左側外辺部と右側外辺部の縦棒に引っ掛けて着脱可能に係止され、前記正面金網と前記背面金網の前記横棒の左右両端部は、U字型に形成されて前記左側面金網及び前記右側面金網の前方外辺部と後方外辺部の縦棒に引っ掛けて着脱可能に係止されたことを特徴とした請求項1記載の組立式蛇籠。
【請求項３】
前記正面金網と前記背面金網と前記左側面金網と前記右側面金網を形成する前記縦棒は内側及び外側から二重に前記横棒で挟んで固定された金網及び／又は、前記底面金網を形成する前記横棒は内側及び外側から二重に前記縦棒で挟んで固定された金網を用いたことを特徴とした請求項1又は2記載の組立式蛇籠。
【請求項４】
前記組立式蛇籠において、蓋となる上面金網を前記正面金網と前記背面金網と前記左側面金網と前記右側面金網の上方に開閉可能に設けたことを特徴とする請求項1〜3項のいずれか1項に記載の組立式蛇籠。
【発明の詳細な説明】
【技術分野】
【０００１】
本発明の蛇籠は、長期間石材充填設置や、クレーンで吊った時などの変形を防止し、移動性に富んだ組立式蛇籠である。
【背景技術】
【０００２】
従来知られている蛇籠は鋼線を網目状に編んだ構成なので、変形が容易であるため、その変形を防止する方法として、外枠にフレームを備えたものがある。
（例えば特許文献１参照）
他に蛇籠の周縁をなす枠線に沿って補強鉄筋が配置され、隣接する枠線同士が結合されたものがある。
（例えば特許文献２参照）
さらに、蛇籠の下方所定厚みに玉石や栗石を入れた時点でコンクリートを流して内部の玉石や栗石を一体化せしめ、その上部に玉石や栗石を詰めて上面を閉塞してなる蛇籠がある。
（例えば特許文献３参照）
【先行技術文献】
【特許文献】
【０００３】
【特許文献１】実開  平５−４７０２８    号公報
【特許文献２】実開  平５−４０３２０    号公報
【特許文献３】特開  ２００７−７１００７号公報
【発明の概要】
【発明が解決しようとする課題】
【０００４】
従来の蛇籠の変形防止として特許文献１は、蛇籠の円周に外枠フレームを備える構造で特に正面や背面の金網変形に対する効果は期待出来ない。
特許文献２も特許文献１と同様に蛇籠の外枠を補強したもので特に正面や背面の金網変形に対する効果は期待出来ない。
特許文献３は、蛇籠下部にコンクリートを流し込む方法であるが、設置場所が限定され、また石材の他に余分な資材を必要とする。
上記課題解決のため、石材を長期間充填した時の蛇籠全体の変形防止や構造が簡単で一度に大量輸送が可能な蛇籠を安価に開発し提供する必要があった。
【課題を解決するための手段】
【０００５】
前記の課題を解決するため、本発明は、石材等の重量物を入れる組立式蛇籠であって、前記組立式蛇籠は、横棒と縦棒を格子状に接合した方形の格子型金網からなる、正面金網、背面金網、左側面金網、右側面金網、底面金網の外辺部同士を着脱可能な係止手段を用いて連結した上面が開放された立方体であり、対面する前記正面金網と背面金網及び前記左側面金網と右側面金網は、対向して内側に引き合うように両端に着脱可能な係止部を有した支持具で連結され、前記底面金網の横棒は、４本足で端部に着脱可能な係止部を有した山形の吊具で係止された組立式蛇籠を提供する。
【０００６】
さらに、前記正面金網と前記背面金網の縦方向に配された複数本の縦棒の下端部は、波型に形成されて前記底面金網の正面側外辺部と背面側外辺部の横棒に着脱可能に係止され、前記左側面金網と前記右側面金網の縦方向に配された複数本の縦棒の下端部は、Ｕ字型に形成されて前記底面金網の左側外辺部と右側外辺部の縦棒に引っ掛けて着脱可能に係止され、前記正面金網と前記背面金網の前記横棒の左右両端部は、U字型に形成されて前記左側面金網及び前記右側面金網の前方外辺部と後方外辺部の縦棒に引っ掛けて着脱可能に係止された組立式蛇籠であっても良い。
【０００７】
さらに、前記正面金網と前記背面金網と前記左側面金網と前記右側面金網を形成する前記縦棒は内側及び外側から二重に前記横棒で挟んで固定された金網及び／又は、前記底面金網を形成する前記横棒は内側及び外側から二重に前記縦棒で挟んで固定された金網を用いた組立式蛇籠であっても良い。
【０００８】
さらに、前記組立式蛇籠において、蓋となる上面金網を前記正面金網と前記背面金網と前記左側面金網と前記右側面金網の上方に開閉可能に設けた組立式蛇籠であってもよい。
【０００９】
また、蛇籠に入れられる石材等の重さや蛇籠のサイズによっては、格子の縦棒もしくは横棒を一重にしても良いし、二重にしても良い。
【００１０】
本発明で、使用する前記正面金網及び背面金網、前記左右側面金網、前記底面金網、支持具、吊具の材質は鋼やステンレス、アルミ合金などの金属、あるいは同等の強度を有する、ABSやナイロン、ポリカーカーボネート、塩化ビニールなどの合成樹脂でも良く、又は、それぞれの組合せでも良い。
【００１１】
使用する縦棒や横棒の口径寸法は同一でも良いが、各金網外周部など一部の口径寸法を大きくしてもよい。
【００１２】
本発明の組立式蛇籠は、種々の用途に応じて、支持具の直径は３〜１０ｍｍ、吊具の直径は３〜２０ｍｍ程度でよく、金網の格子を形成する縦棒と横棒の直径は３ｍｍ〜１０ｍｍ、正面金網及び背面金網は縦30ｃｍ〜150ｃｍ、横30ｃｍ〜300ｃｍ、左側面金網と右側面金網は縦30ｃｍ〜150ｃｍ、横30ｃｍ〜150ｃｍ、底面金網は縦30ｃｍ〜150ｃｍ、上面金網は縦30ｃｍ〜150ｃｍ、横30ｃｍ〜300ｃｍ程度を選定すれば良い。
【００１３】
各金網の格子の間隔は３〜２０ｃｍ程度を選定すれば良い。
【発明の効果】
【００１４】
本発明の蛇籠は、前記正面金網、背面金網、左側面金網、右側面金網、底面金網を組立てる方式である為、各金網は分解可能であり、各金網は平積み出来るので保管スペースを縮小し、移動を容易にする。また、各金網はU字型及び波型係止部を使って組立てるので、組立てが容易であり且つ、蛇籠の剛性を高め、変形しにくい効果が実現される。
【００１５】
また、対面する正面金網と背面金網、及び、左側面金網と右側面金網を内側に引き合うように、支持具を取り付けたことで、より大きな寸法の蛇籠も変形しない効果を持つ。
【００１６】
正面金網と背面金網と左側面金網と右側面金網を構成する縦棒は内側及び外側から二重に横棒で挟んで固定し、底面金網を構成する横棒は内側及び外側から二重に縦棒で挟んで固定した場合、金網の補強を充実させ、より大きな寸法の蛇籠も変形しない効果を持つ。
【００１７】
さらに、四本足の山形吊具を備えることで、蛇籠を吊上げても変形せずに移動することを容易にした。
【図面の簡単な説明】
【００１８】
【図１】本発明の実施例となる組立式蛇籠の全体斜視図
【図２】本発明の他の実施例となる蓋付き組立式蛇籠の全体斜視図
【図３】本発明の実施例となる組立式蛇籠の全体平面図
【図４】本発明の実施例となる組立式蛇籠の全体正面図
【図５】本発明の実施例となる組立式蛇籠の全体右側面図
【図６】底面金網の平面図と正面図
【図７】上面金網の平面図と側面図
【図８】正面金網及び背面金網の平面図と側面図
【図９】左右側面金網の平面図と側面図
【図１０】左右側面金網に正面及び背面金網を係止した状態を示す平面図
【図１１】底面金網に左右側面金網を係止した状態を示す正面図
【図１２】底面金網に前面及び背面金網を係止した状態を示す側面図
【図１３】支持具の正面図
【図１４】吊具の正面図
【発明を実施するための形態】
【００１９】
本発明品は構造が簡単で、石材等長期充填期間中の変形の心配が少なく、移動性に富む蛇籠を提供することを実現した。
【００２０】
以下、本発明の実施例となる添付図面に従って説明する。
【実施例１】
【００２１】
図１に示すように実施例となる組立式蛇籠の構成は、正面金網１−１、背面金網１−２、左側面金網２−１、右側面金網２−２、底面金網３、支持具５、吊具６で構成されている。尚、図３、図４、図５は全体の斜視である図１を平面、正面、右側面の方向から見た図面である。
【００２２】
正面金網１−１と背面金網１−２と左側面金網２−１と右側面金網２−２を構成する縦棒７と横棒８及び９は６ｍｍの鋼線で出来ており、縦棒７の間隔は５ｃｍであり、横棒８と９の間隔は２０ｃｍで出来ている。
【００２３】
底面金網３を構成する横棒１０と縦棒１１及び１２は６ｍｍの鋼線で出来ており、横棒１０の間隔は５ｃｍであり、縦棒１１と１２の間隔は２０ｃｍで出来ている。
【００２４】
支持具５の直径は６ｍｍの鋼線で出来ており、吊具６の直径は９ｍｍの鋼線で出来ている。
【００２５】
そして、正面金網１−１及び背面金網１−２は縦100ｃｍ、横200ｃｍ、左側面金網２−１と右側面金網２−２は縦100ｃｍ、横100ｃｍ、底面金網３は縦100ｃｍ、横200ｃｍとした。
【００２６】
図８は、正面金網１−１及び背面金網１−２を示し、縦棒７の下側先端は底面金網３と結束するため、図８の側面図に示すように波型係止部を形成している。また、補強のため縦棒７の内側に位置する横棒８と外側に位置する横棒９に挟まれて固定されると共に、図１０に見られるように、外側にある横棒９の両端は、左側面金網２−１の縦棒７と右側面金網２−２の縦棒７に結束させるため、Ｕ字型係止部を形成している。
【００２７】
図９は、左側面金網２−１と右側面金網２−２を示し、縦棒７の下側先端は、底面金網３と結束するため、図９の側面図に示すように、Ｕ字型係止部を形成し、補強のため縦棒８の内側に位置する横棒８と外側に位置する横棒９に挟まれて固定さている。
【００２８】
図６は、底面金網３を示し、横棒１０は補強のため横棒１０の内側に位置する縦棒１１と外側に位置する縦棒１２に挟まれて固定される。
【００２９】
底面金網３の端に位置する横棒１０は、図1２で示したように、正面金網１−１及び背面金網１−２の縦棒７の下側先端に形成された波型係止部と結合するため、横棒１０の間隔は波型係止部と合致するように配置されている。
【００３０】
支持具５は図１２で示すように、対面する正面金網１−１と背面金網１−２を対向して内側に引き合うように係止し、また図１１で示すように、左側面金網２−１と右側面金網２−２を対向して内側に引き合うように係止するため、図１３に示すように、両端にＵ字型係止部を形成している。また、吊具６は底面金網３と係止するため、図１４に見られるように、下側先端にＵ字型係止部を形成している。
【実施例２】
【００３１】
実施例１よりも奥行き寸法を小さくして、左右側面金網の横棒を一重とした実施例である。
【００３２】
正面金網１−１及び背面金網１−２は縦100ｃｍ、横200ｃｍ、左側面金網２−１と右側面金網２−２は縦100ｃｍ、横50ｃｍ、底面金網３は縦50ｃｍ、横200ｃｍとした。
【００３３】
そして、この実施例では左側面金網２−１と右側面金網２−２のサイズが小さくて大きな強度を必要としないため、左側面金網２−１と右側面金網２−２の格子の横棒９を縦棒７の外側に位置する様に一重とし、横棒９の間隔は２０ｃｍ、縦棒７の間隔は５ｃｍとする。尚、その他の構造は実施例1と同様とした。（図示せず）
【実施例３】
【００３４】
実施例１よりも長さと奥行きの寸法を小さくして、正面金網及び背面金網と左右側面金網の横棒を一重とした実施例である。
【００３５】
正面金網１−１及び背面金網１−２は縦100ｃｍ、横50ｃｍ、左側面金網２−１と右側面金網２−２は縦100ｃｍ、横50ｃｍ、底面金網３は縦50ｃｍ、横50ｃｍとした。
【００３６】
そして、この実施例では正面金網１−１と背面金網１−２と左側面金網２−１と右側面金網２−２のサイズが小さくて大きな強度を必要としないため、正面金網１−１と背面金網１−２と左側面金網２−１と右側面金網２−２の格子の横棒９を縦棒７の外側に位置する様に一重とし、横棒９の間隔は２０ｃｍ、縦棒７の間隔は５ｃｍとする。尚、その他の構造は実施例1と同様とした。（図示せず）
【実施例４】
【００３７】
実施例１よりも高さと長さと奥行きの寸法を小さくして、正面金網及び背面金網と左右側面金網の横棒を一重とし、底面金網の縦棒を一重とした実施例である。
【００３８】
正面金網１−１及び背面金網１−２は縦50ｃｍ、横50ｃｍ、左側面金網２−１と右側面金網２−２は縦50ｃｍ、横50ｃｍ、底面金網３は縦50ｃｍ、横50ｃｍとした。
【００３９】
そして、この実施例では正面金網１−１と背面金網１−２と左側面金網２−１と右側面金網２−２と底面金網３のサイズが小さくて大きな強度を必要としないため、正面金網１−１と背面金網１−２と左側面金網２−１と右側面金網２−２の格子の横棒９を縦棒７の外側に位置する様に一重とし、横棒９の間隔は２０ｃｍ、縦棒７の間隔は５ｃｍとする。そして、底面金網３の格子の縦棒１１を横棒１０の内側に位置する様に一重とし、縦棒１１の間隔は２０ｃｍ、横棒１０の間隔は５ｃｍとする。尚、その他の構造は実施例1と同様とした。（図示せず）
【実施例５】
【００４０】
この実施例では金網の材質は金属とし、支持具と吊具は合成樹脂を用いた例を示した。
【００４１】
正面金網１−１及び背面金網１−２、左側面金網２−１、右側面金網２−２、底面金網３、の横棒８及び９と縦棒７は直径6ｍｍの鋼線で出来ており、支持具５の直径は10ｍｍの合成樹脂の一種であるナイロン樹脂で出来ており、吊具６の直径は15ｍｍの合成樹脂の一種であるABS樹脂で出来ている。（図示せず）
【実施例６】
【００４２】
蓋となる上面金網を設けた実施例である。
【００４３】
図２に示すように実施例となる組立式蛇籠の構成は、正面金網１−１及び背面金網１−２、左側面金網２−１、右側面金網２−２、底面金網３、の上方に蓋となる上面金網４を設けた。上面金網４は直径６ｍｍの鋼線を使用したが、他の部分の金網に比べて強度を必要としないので、１５ｃｍ間隔の横棒１３と縦棒１２の格子で構成されており、背面金網１−２の上端部に直径３ｍｍのリング状の金具を用いて開閉可能に取り付けた。支持具５は直径６ｍｍの鋼線を用い、吊具６は直径９ｍｍの鋼線を用いた。
【符号の説明】
【００４４】
１−１  正面金網
１−２  背面金網
２−１  左側面金網
２−２  右側面金網
３      底面金網
４      上面金網
５      支持具
６      吊具
７      前面及び背面金網と左右側面金網の縦棒
８      前面及び背面金網と左右側面金網の縦棒6の内側に位置する横棒
９      前面及び背面金網と左右側面金網の縦棒6の外側に位置する横棒
１０    底面金網の横棒
１１    底面金網の横棒１０の内側に位置する縦棒
１２    底面金網の横棒１０の外側に位置する縦棒
１３    上面金網の縦棒
１４    上面金網の横棒
【図１】
2010265625.tif 000003
【図２】
2010265625.tif 000004
【図３】
2010265625.tif 000005
【図４】
2010265625.tif 000006
【図５】
2010265625.tif 000007
【図６】
2010265625.tif 000008
【図７】
2010265625.tif 000009
【図８】
2010265625.tif 000010
【図９】
2010265625.tif 000011
【図１０】
2010265625.tif 000012
【図１１】
2010265625.tif 000013
【図１２】
2010265625.tif 000014
【図１３】
2010265625.tif 000015
【図１４】
2010265625.tif 000016